(57)【要約】【課題】できる限り簡素な構造ながら、通常の撮影位置と接写の撮影位置とで光学レンズの位置を正確に切換える。【解決手段】通常の撮影範囲と接写の撮影範囲とを光学レンズ群46を形成した可動枠４５の固定枠41，42に対する位置切換えにより選択可能な撮影レンズ３と、この撮影レンズ３の各切換位置それぞれに設けた電磁石41ａ，41ｂ，45ａ〜45ｄ，42ａ，42ｂとを備え、通常の撮影範囲と接写の撮影範囲のいずれかが選択指示された際に、マグネットドライバ(21)により位置に対応した上記電磁石を択一的に通電させて撮影レンズ３を通常の撮影範囲または接写の撮影範囲の切換位置に固定させる。【選択図】      図２
2005316314.tif 000002
【特許請求の範囲】
【請求項１】
通常の撮影範囲と接写の撮影範囲を少なくとも一部の光学部材の位置切換えにより選択可能な光学撮影機構と、
この光学撮影機構の上記光学部材の各切換位置それぞれに設けた電磁石による位置固定手段と、
通常の撮影範囲と接写の撮影範囲のいずれか一方を選択指示する指示手段と、
この指示手段に対応して上記位置固定手段に択一的に通電して上記光学部材を通常の撮影範囲または接写の撮影範囲の切換位置に固定させる電磁駆動手段と
を具備したことを特徴とする撮像装置。
【請求項２】
通常の撮影範囲と接写の撮影範囲を少なくとも一部の光学部材の位置切換えにより選択可能な光学撮影機構と、
この光学撮影機構の可動側及び固定側の一方に永久磁石、他方に電磁石を設け、電磁石への通電方向を切換えて該電磁石を永久磁石に対して吸引または反発させることで上記光学部材を各切換位置に固定する位置固定手段と、
通常の撮影範囲と接写の撮影範囲のいずれか一方を選択指示する指示手段と、
この指示手段に対応して電磁石への通電方向を切換え上記光学部材を通常の撮影範囲または接写の撮影範囲の切換位置に固定させる電磁駆動手段と
を具備したことを特徴とする撮像装置。
【請求項３】
上記位置固定手段は、可動側に永久磁石を、固定側に電磁石を設けることを特徴とする請求項２記載の撮像装置。
【請求項４】
通常の撮影範囲と接写の撮影範囲を少なくとも一部の光学部材の位置切換えにより選択可能な光学撮影機構と、
この光学撮影機構の可動側の上記光学部材に付勢して通常の撮影範囲と接写の撮影範囲の一方に位置固定する、弾性部材による第１の位置固定手段と、
上記光学撮影機構の可動側の上記光学部材、及び固定側の一方に永久磁石、他方に電磁石を設け、該電磁石への通電時に上記弾性部材の弾性力を上回る吸引力または反発力を発生して上記光学部材を通常の撮影範囲と接写の撮影範囲の他方に位置固定する第２の位置固定手段と、
通常の撮影範囲と接写の撮影範囲のいずれか一方を選択指示する指示手段と、
この指示手段に対応して電磁石への通電状態を切換え、上記光学部材を通常の撮影範囲または接写の撮影範囲の切換位置に固定させる電磁駆動手段と
を具備したことを特徴とする撮像装置。
【請求項５】
上記第２の位置固定手段は、可動側に永久磁石を、固定側に電磁石を設けることを特徴とする請求項４記載の撮像装置。
【発明の詳細な説明】
【技術分野】
【０００１】
本発明は、通常撮影とマクロ撮影とを切り換える撮像装置に関する。
【背景技術】
【０００２】
従来、通常の撮影範囲の他に、光学レンズ系の位置を切換え設定することで、マクロ撮影も可能なカメラ装置やカメラ機能付きの携帯電話機等がある。この種の撮影範囲を切換える機構として、比較的安価な装置では操作レバーやスライドスイッチをユーザが手動で切換えるものが多く、一方比較的高価な製品ではスイッチの操作に伴って電動モータの駆動で切換えるによるものが多い。
【０００３】
また、対象とする分野は多少異なるが、光記録媒体の光ピックアップ等の光学素子用アクチュエータとして、直交する２方向に対して高い感度で駆動可能なコイルと磁石とを用いた構造が考えられている。（例えば、特許文献１）
【特許文献１】特開２００３−１２３２９１号公報
【発明の開示】
【発明が解決しようとする課題】
【０００４】
上記撮影範囲を手動のレバー等で切り換える構造のものは、ユーザの手動操作による力を機械的に伝達してレンズ位置を移動させる機構が必要となり、作動力の変動に関係なくレンズの移動位置を一定に制御するための機構が複雑となる。
【０００５】
一方、電動モータの駆動によるものは、ステッピングモータやＤＣモータ等を使用するためにどうしても装置が複雑で大型化する傾向にある。
【０００６】
上記特許文献１で示した技術も、マイクロメートルオーダーで光学素子を駆動するための機構であり、小型ではあるがその構造は複雑で製造コストが非常に高く、比較的安価なカメラ装置のマクロ切換機構に適用するのは現実的でない。
【０００７】
本発明は上記のような実情に鑑みてなされたもので、その目的とするところは、できる限り簡素な構造ながら、通常の撮影位置と接写の撮影位置とで光学レンズの位置を正確に切換えることが可能な撮像装置を提供することにある。
【課題を解決するための手段】
【０００８】
請求項１記載の発明は、通常の撮影範囲と接写の撮影範囲を少なくとも一部の光学部材の位置切換えにより選択可能な光学撮影機構と、この光学撮影機構の上記光学部材の各切換位置それぞれに設けた電磁石による位置固定手段と、通常の撮影範囲と接写の撮影範囲のいずれか一方を選択指示する指示手段と、この指示手段に対応して上記位置固定手段に択一的に通電して上記光学部材を通常の撮影範囲または接写の撮影範囲の切換位置に固定させる電磁駆動手段とを具備したことを特徴とする。
【０００９】
請求項２記載の発明は、通常の撮影範囲と接写の撮影範囲を少なくとも一部の光学部材の位置切換えにより選択可能な光学撮影機構と、この光学撮影機構の可動側及び固定側の一方に永久磁石、他方に電磁石を設け、電磁石への通電方向を切換えて該電磁石を永久磁石に対して吸引または反発させることで上記光学部材を各切換位置に固定する位置固定手段と、通常の撮影範囲と接写の撮影範囲のいずれか一方を選択指示する指示手段と、この指示手段に対応して電磁石への通電方向を切換え上記光学部材を通常の撮影範囲または接写の撮影範囲の切換位置に固定させる電磁駆動手段とを具備したことを特徴とする。
【００１０】
請求項３記載の発明は、上記請求項２記載の発明において、上記位置固定手段は、可動側に永久磁石を、固定側に電磁石を設けることを特徴とする。
【００１１】
請求項４記載の発明は、通常の撮影範囲と接写の撮影範囲を少なくとも一部の光学部材の位置切換えにより選択可能な光学撮影機構と、この光学撮影機構の可動側に付勢して通常の撮影範囲と接写の撮影範囲の一方に位置固定する、弾性部材による第１の位置固定手段と、上記光学撮影機構の可動側及び固定側の一方に永久磁石、他方に電磁石を設け、該電磁石への通電時に上記弾性部材の弾性力を上回る吸引力または反発力を発生して上記光学部材を通常の撮影範囲と接写の撮影範囲の他方に位置固定する第２の位置固定手段と、通常の撮影範囲と接写の撮影範囲のいずれか一方を選択指示する指示手段と、この指示手段に対応して電磁石への通電状態を切換え、上記光学部材を通常の撮影範囲または接写の撮影範囲の切換位置に固定させる電磁駆動手段とを具備したことを特徴とする。
【００１２】
請求項５記載の発明は、上記請求項４記載の発明において、上記第２の位置固定手段は、可動側に永久磁石を、固定側に電磁石を設けることを特徴とする。
【発明の効果】
【００１３】
請求項１記載の発明によれば、２つの撮影位置に対応した電磁石の一方に通電することで簡単に位置切換を実行させることができ、構造と制御をきわめて簡素化できると共に、電磁石の極性と配置を工夫することで容易に正確な位置合わせを実現できる。
【００１４】
請求項２記載の発明によれば、電磁石への通電方向を可変することで簡単に位置切換を実行させることができ、構造と制御をきわめて簡素化できると共に、永久磁石と電磁石それぞれの極性と配置を工夫することで容易に正確な位置合わせを実現できる。
【００１５】
請求項３記載の発明によれば、上記請求項２記載の発明の効果に加えて、可動側への通電のための配線が必要なくなるので、より構造を簡素化できる。
【００１６】
請求項４記載の発明によれば、電磁石への通電の有無を切換えることで簡単に位置切換を実行させることができ、構造と制御をきわめて簡素化できるだけでなく、通電していない状態では無駄に電源を消費しないので制限のある電池電源を有効に活用できる。
【００１７】
請求項５記載の発明によれば、上記請求項４記載の発明の効果に加えて、可動側への通電のための配線が必要なくなるので、より構造を簡素化できる。
【発明を実施するための最良の形態】
【００１８】
（第１の実施の形態）  
以下本発明をデジタルカメラに適用した場合の第１の実施の形態について図面を参照して説明する。
【００１９】
図１は、その外観構成を示すもので、図１（Ａ）が主に前面の、図１（Ｂ）が主に背面の構成を示す斜視図である。
【００２０】
このデジタルカメラ１は、略矩形の薄板状ボディ２の前面に、撮影レンズ３、セルフタイマランプ４、光学ファインダ窓５、ストロボ発光部６、及びマイクロホン部７を配設し、上面の（ユーザにとって）右端側には電源キー８及びシャッタキー９を配する。
【００２１】
撮影レンズ３は、単焦点で絞り固定、ＡＦ（自動合焦）機能を持たないパンフォーカスタイプのレンズ構成とし、内部の一部レンズの位置の移動により通常撮影とマクロ撮影とを切換可能とする。
【００２２】
電源キー８は、電源のオン／オフ毎に操作するキーであり、シャッタキー９は、撮影モード時に撮影を指示する。
【００２３】
また、デジタルカメラ１の背面には、撮影（Ｒ）モードキー１０、再生モードキー１１、光学ファインダ１２、スピーカ部１３、マクロキー１４、ストロボキー１５、メニュー（ＭＥＮＵ）キー１６、リングキー１７、セット（ＳＥＴ）キー１８、及び表示部１９を配する。
【００２４】
撮影モードキー１０は、電源オフの状態から操作することで自動的に電源オンとして静止画の撮影モードに移行する一方で、電源オンの状態から繰返し操作することで、静止画、動画度、音声の各記録状態を循環的に選択設定する。
【００２５】
再生モードキー１１は、電源オフの状態から操作することで自動的に電源オンとして再生モードに移行する。
【００２６】
マクロキー１４は、静止画の撮影モードで通常撮影とマクロ撮影とを切換える際に操作する。ストロボキー１５は、上記ストロボ発光部６の発光モードを切換える際に操作する。
【００２７】
メニューキー１６は、各種メニュー項目等を選択させる際に操作する。
【００２８】
リングキー１７は、上下左右各方向への項目選択用のキーが一体に形成されたものであり、このリングキー１７の中央に位置するセットキー１８は、その時点で選択されている項目を設定する際に操作する。
【００２９】
表示部１９は、バックライト付きのカラー液晶パネルで構成されるもので、撮影モード時には電子ファインダとしてスルー画像のモニタ表示を行なう一方で、再生モード時には選択した画像等を再生表示する。
【００３０】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００３１】
次いで図２により上記デジタルカメラ１の電子回路構成を説明する。  
撮影モードでのモニタリング状態においては、マグネットドライバ２１の駆動により上記撮影レンズ３を構成する一部のレンズ位置が移動される。この撮影レンズ３の撮影光軸後方に、図示しないメカニカルシャッタを介して、撮像素子であるＣＣＤ２２が配置される。
【００３２】
ＣＣＤ２２は、タイミング発生器（ＴＧ）２３、垂直ドライバ２４によって走査駆動され、一定周期毎に結像した光像に対応する光電変換出力を１画面分出力する。
【００３３】
この光電変換出力は、アナログ値の信号の状態でＲＧＢの各原色成分毎に適宜ゲイン調整された後に、サンプルホールド回路（Ｓ／Ｈ）２５でサンプルホールドされ、Ａ／Ｄ変換器２６でデジタルデータに変換され、カラープロセス回路２７で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２８に出力される。
【００３４】
ＤＭＡコントローラ２８は、カラープロセス回路２７の出力する輝度信号Ｙ及び色差信号Ｃｂ，Ｃｒを、同じくカラープロセス回路２７からの複合同期信号、メモリ書込みイネーブル信号、及びクロック信号を用いて一度ＤＭＡコントローラ２８内部のバッファに書込み、ＤＲＡＭインタフェース（Ｉ／Ｆ）２９を介してバッファメモリとして使用されるＤＲＡＭ３０にＤＭＡ転送を行なう。
【００３５】
制御部３１は、ＣＰＵと、後述する通常撮影とマクロ撮影の切換を含む動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３０へのＤＭＡ転送終了後に、この輝度及び色差信号をＤＲＡＭインタフェース２９を介してＤＲＡＭ３０より読出し、ＶＲＡＭコントローラ３２を介してＶＲＡＭ３３に書込む。
【００３６】
デジタルビデオエンコーダ３４は、上記輝度及び色差信号をＶＲＡＭコントローラ３２を介してＶＲＡＭ３３より定期的に読出し、これらのデータを元にビデオ信号を発生して上記表示部１９に出力する。
【００３７】
この表示部１９は、上述した如く画像撮影モード時にはモニタ表示部（電子ファインダ）として機能するもので、デジタルビデオエンコーダ３４からのビデオ信号に基づいた表示を行なうことで、その時点でデジタルビデオエンコーダ３４から取込んでいる画像情報に基づく画像をリアルタイムに表示することとなる。
【００３８】
このように表示部１９にその時点での画像がモニタ画像としてリアルタイムに表示されている、所謂スルー画像の表示状態で、静止画撮影を行ないたいタイミングで上記シャッタキー９を操作すると、トリガ信号を発生する。
【００３９】
制御部３１は、このトリガ信号に応じてその時点でＣＣＤ２２から取込んでいる１画面分の輝度及び色差信号のＤＲＡＭ３０へのＤＭＡ転送を取り止め、あらためて適正な露出条件に従ったシャッタ速度で図示しないメカニカルシャッタ及び上記ＣＣＤ２２を駆動して１画面分の起動及び色差信号を得てＤＲＡＭ３０へ転送し、その後にこの経路を停止し、記録保存の状態に遷移する。
【００４０】
この記録保存の状態では、制御部３１がＤＲＡＭ３０に書込まれている１フレーム分の輝度及び色差信号をＤＲＡＭインタフェース２９を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３５に書込み、このＪＰＥＧ回路３５でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４１】
そして、得た符号データを１画像のデータファイルとして該ＪＰＥＧ回路３５から読出し、このデジタルカメラ１の記録媒体として着脱自在に装着されるメモリカード３６に書込む。
【００４２】
そして、１フレーム分の輝度及び色差信号の圧縮処理及びメモリカード３６への全圧縮データの書込み終了に伴なって、制御部３１はＣＣＤ２２からＤＲＡＭ３０への経路を再び起動する。
【００４３】
また、制御部３１には、キー入力部３７、音声処理部３８、及びストロボ駆動部３９が接続される。
【００４４】
キー入力部３７は、上述した電源キー８、シャッタキー９、撮影モードキー１０、再生モードキー１１、マクロキー１４、ストロボキー１５、メニューキー１６、リングキー１７、及びセットキー１８から構成され、それらのキー操作に伴なう信号は直接制御部３１へ送出される。
【００４５】
音声処理部３８は、ＰＣＭ音源等の音源回路を備え、音声の録音時には上記マイクロホン部（ＭＩＣ）７より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード３６へ送出する一方、音声の再生時にはメモリカード３６から送られてきた音声データファイルの圧縮を解いてアナログ化し、上述したデジタルカメラ１の背面側に設けられるスピーカ部（ＳＰ）１３を駆動して、拡声放音させる。
【００４６】
ストロボ駆動部３９は、静止画像撮影時に図示しないストロボ用の大容量コンデンサを充電した上で、制御部３１からの制御に基づいて上記ストロボ発光部６を閃光駆動する。
【００４７】
しかるに、静止画像ではなく動画像の撮影が選択されている場合には、１回目のシャッタキー９が操作された時点で、上述した静止画データを取得してＪＰＥＧ回路３５でデータ圧縮し、メモリカード３６へ記録するという一連の動作を適宜フレームレート、例えば３０［フレーム／秒］で連続して実行するものとして開始し、該シャッタキー９が２回目に操作されるか、または所定の制限時間、例えば３０秒が経過した時点でそれら一連の静止画データファイルを一括してモーションＪＰＥＧのデータファイル（ＡＶＩファイル）として設定し直す。
【００４８】
また、再生モード時には、制御部３１がメモリカード３６に記録されている画像データを選択的に読出し、ＪＰＥＧ回路３５で撮影モード時にデータ圧縮した手順と全く逆の手順で圧縮されている画像データを伸長し、伸長した画像データをＤＲＡＭインタフェース２９を介してＤＲＡＭ３０に保持させた上で、このＤＲＡＭ３０の保持内容をＶＲＡＭコントローラ３２を介してＶＲＡＭ３３に記憶させ、このＶＲＡＭ３３より定期的に画像データを読出してビデオ信号を発生し、上記表示部１９で再生出力させる。
【００４９】
選択した画像データが静止画像ではなく動画像であった場合、選択した動画像ファイルを構成する個々の静止画データの再生を時間的に連続して実行し、最後の静止画データの再生を終了した時点で、次に再生の指示がなされるまで先頭に位置する静止画データのみを用いて再生表示する。
【００５０】
次に上記撮影レンズ３の詳細な構成について説明する。
【００５１】
図３（Ａ）は通常撮影時の撮影レンズ３の状態を例示するものである。同図（Ａ）中、一点鎖線で示す撮影光軸ＯＡの上方が被写体側に位置する前方向、下がＣＣＤ２２である。撮影レンズ３は、前側に位置する第１の固定枠４１と後側に位置する第２の固定枠４２、及びこれらの枠４１，４２間の間隔を維持する２本のガイドシャフト４３，４４が一体的に構成された上で、これらガイドシャフト４３，４４に沿って上記枠４１，４２間を移動する可動枠４５を設け、この可動枠４５に対して図中に破線で外縁部を示す光学レンズ群４６を取付けて固定することで構成される。
【００５２】
第１の固定枠４１と可動枠４５との当接面で、上記光学レンズ群４６から外れた位置には、２組の電磁石４１ａと４５ａ、４１ｂと４５ｂがそれぞれ埋設され、後述するマクロ撮影時にはこれらに通電されてその吸引力により可動枠４５がガイドシャフト４３，４４に沿って第１の固定枠４１側に平行移動する。
【００５３】
一方、可動枠４５と第２の固定枠４２との当接面で、上記光学レンズ群４６から外れた位置には、２組の電磁石４５ｃと４２ａ、４５ｄと４２ｂがそれぞれ埋設され、図示する如く通常撮影時にはこれらに通電されてその吸引力により可動枠４５がガイドシャフト４３，４４に沿って第２の固定枠４２側に平行移動する。
【００５４】
可動枠４５に取付けられた光学レンズ群４６の後端は、ＣＣＤ２２のパッケージ内に収納され、その接触部には、図示しないが例えばラビリンスパッキング構造によりＣＣＤ２２のパッケージ内を略気密に保つと共に、可動枠４５の急激な移動を抑制する。
【００５５】
この可動枠４５が光軸の後側に位置している状態でも、可動枠４５の後端がＣＣＤ２２のパッケージ内の結像するチップ面２２ａに接触することはないように位置設定されている。
【００５６】
図３（Ｂ）は上記マグネットドライバ２１による駆動状態を切換えることで、撮影レンズ３の光学レンズ群４６をＣＣＤ２２からより離間させるべく、可動枠４５を光軸の前側に移動させたマクロ撮影時の状態を例示するものである。
【００５７】
このとき、第１の固定枠４１と可動枠４５との当接面に形成された２組の電磁石４１ａと４５ａ、４１ｂと４５ｂに通電されることで、その電磁吸引力により可動枠４５が第１の固定枠４１側に平行移動する一方で、可動枠４５と第２の固定枠４２との当接面に形成された２組の電磁石４５ｃと４２ａ、４５ｄと４２ｂは通電がなされていない。
【００５８】
このように、マグネットドライバ２１は通常撮影とマクロ撮影とで通電する電磁石の組を択一的に選択するようになるもので、それによって可動枠４５は通常撮影時には後側の第２の固定枠４２と当接され、またマクロ撮影時には前側の第１の固定枠４１と当接されて、それぞれ位置決めされることとなる。
【００５９】
次に上記実施の形態の動作について説明する。  
図４は、上記制御部３１が電源キー８または撮影モードキー１０の操作に対応して実行する、撮影モード時の上記撮影レンズ３の駆動に関する処理内容を示すものであり、その操作当初には自動的に上記図３（Ａ）で示した通常撮影となるものとし、マグネットドライバ２１により上記可動枠４５と第２の固定枠４２との当接面に形成された２組の電磁石４５ｃと４２ａ、４５ｄと４２ｂに通電してその電磁吸引力により可動枠４５を第２の固定枠４２側に平行移動させる一方で、第１の固定枠４１と可動枠４５との当接面に形成された２組の電磁石４１ａと４５ａ、４１ｂと４５ｂには通電しない（ステップＡ０１）。
【００６０】
この通常撮影の通電状態を維持したまま、マクロキー１４の操作がなされるのを待機するもので（ステップＡ０２）、マクロキー１４が操作されたと判断した時点で、マクロ撮影に移行するべくマグネットドライバ２１による通電状態を切換え、上記図３（Ｂ）で示した如く、第１の固定枠４１と可動枠４５との当接面に形成された２組の電磁石４１ａと４５ａ、４１ｂと４５ｂに通電してその電磁吸引力により可動枠４５を第１の固定枠４１側に平行移動させる一方で、可動枠４５と第２の固定枠４２との当接面に形成された２組の電磁石４５ｃと４２ａ、４５ｄと４２ｂには通電しない（ステップＡ０３）。
【００６１】
このとき、表示部１９では、マクロ撮影により取得している洲画像を表示すると共に、マクロ撮影が設定されていることを所定のシンボルマークにより表示するものとしてもよい。
【００６２】
このマクロ撮影の通電状態を維持したまま、同様にマクロキー１４の操作がなされるのを待機する（ステップＡ０４）。そして、マクロキー１４が操作された時点でステップＡ０４によりこれを判断し、再び通常撮影の状態に切り換えるべく上記ステップＡ０１に至る。
【００６３】
このように、通常撮影とマクロ撮影の２つの撮影位置に対応した電磁石の一方に通電することで簡単に位置切換を実行させることができ、構造と制御をきわめて簡素化できる。
【００６４】
加えて、電磁石の極性と配置を工夫することで、容易に可動枠４５の位置合わせを正確なものとすることができる。
【００６５】
なお、再生モードキー１１の操作により再生モードが指定された状態、及び電源キー８の操作により電源がオフされた状態では、マグネットドライバ２１は上記各電磁石４１ａと４５ａ、４１ｂと４５ｂ、４５ｃと４２ａ、４５ｄと４２ｂのいずれにも通電せず、したがって可動枠４５は第１の固定枠４１側と第２の固定枠４２側のいずれにも吸引されずに、不安定な状態となる。
【００６６】
しかしながら、上述した如く可動枠４５に取付け固定された光学レンズ群４６の後端がＣＣＤ２２のパッケージに例えばラビリンスパッキング構造により略気密となるように収納され、内部の急激な気圧の変動を抑制するべく動作するため、デジタルカメラ１を携帯する際に可動枠４５がガイドシャフト４３，４４に沿って不用意にがたつくような状態は回避できる。
【００６７】
なお、上記実施の形態では、マグネットドライバ２１が通常撮影時とマクロ撮影時とで一方の電磁石の組に通電して吸引させると同時に他方の電磁石の組への通電を停止するものとして説明したが、両方の電磁石の組に通電し、通電方向に基づく極性を切り換えるものとして、一方の組で吸引させているときに必ず他方の組で反発するように電磁力を双方で発生させるものとしてもよく、電力の消費は増大するものの、より安定した位置決め動作動作が実現できる。
【００６８】
また、上記実施の形態では、可動枠４５がガイドシャフト４３，４４に沿って平行移動するものとして説明したが、ガイドシャフト４３，４４に代えて、円盤状の可動枠４５の外周面とこれに嵌合される固定枠の内周面にネジ山を螺刻形成して、可動枠４５が螺旋状に移動するもの、あるいは可動枠４５の外周面とこれに嵌合される固定枠の内周面のいずれか一方に形成した、光軸と平行な溝に沿って移動するものとしてもよい。
【００６９】
（第２の実施の形態）  
以下本発明をＣＤＭＡ（Ｃｏｄｅ  Ｄｉｖｉｓｉｏｎ  Ｍｕｌｔｉｐｌｅ  Ａｃｃｅｓｓ：符号分割多元接続）方式のカメラ機能付き携帯電話機に適用した場合の第２の実施の形態について図面を参照して説明する。
【００７０】
図５（Ａ），（Ｂ）は、この実施の形態に係る携帯電話機５０の外観構成を示すもので、ヒンジ部５１を介在して２つの筐体５２，５３が一定の角度範囲内で回動自在に一体に構成された折りたたみ式となっており、図５（Ａ）が最大限に開いた状態の内面を、図５（Ｂ）が折りたたんだ状態の主として上部筐体５２の外面を示す。
【００７１】
図５（Ａ）に示すように上部筐体５２の内面には、受話器となるスピーカ５４及びメイン表示部５５が備えられる。  
一方、下部筐体５３の内面には、ダイヤルキー等を含む各種キー５６及び送話器となるマイクロホン５７が備えられる。
【００７２】
また、図５（Ｂ）に示すように、上部筐体５２の外面には、カメラ部５８、撮影ライト５９、及びサブ表示部６０が備えられる。さらに、下部筐体５３内にも延在されているアンテナ６１がヒンジ部５１より外部に突出形成される。
【００７３】
上記各種キー５６には、ダイヤルキーや電源キー、回線接続、回線切断等のキーと共に、カメラモードを設定するカメラキー５６ａ、シャッタキーとしても機能するセット（ＳＥＴ）キー５６ｂ、マクロ撮影の設定と解除を指示するマクロキー５６ｃを備える他、上記カメラ部５８のデジタルズームや露出補正等を指示する、上記セットキー５６ｂを中心位置に配したリングキー５６ｄを備える。
【００７４】
なお、上記カメラ部５８は、単焦点で絞り固定、ＡＦ（自動合焦）機能を持たないパンフォーカスタイプのレンズ構成とし、内部のレンズのと撮像素子との間の相対距離を可変することで通常撮影とマクロ撮影とを切換可能とする。
【００７５】
図６は、上記携帯電話機５０が備える電子回路の機能構成を示すものである。同図で、上記アンテナ６１は最寄りの基地局とＣＤＭＡ方式の通信を行ない、このアンテナ６１にＲＦ部７１を接続している。
【００７６】
このＲＦ部７１は、受信時にはアンテナ６１から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部７２へ出力する。
【００７７】
一方、ＲＦ部７１は送信時に、変復調部７２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部７５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ６１より輻射送信させる。
【００７８】
変復調部７２は、受信時にＲＦ部３１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、デジタル化してＣＤＭＡ部７３に出力する。
【００７９】
一方、変復調部７２は送信時に、ＣＤＭＡ部７３から送られてくるデジタル値のＩ・Ｑ信号をアナログ化した後に直交変調器でＯＱＰＳＫ変調してＲＦ部７１に送出する。
【００８０】
ＣＤＭＡ部７３は、受信時に変復調部７２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部７４に出力する。
【００８１】
一方、ＣＤＭＡ部７３は送信時に、音声処理部７４からの出力シンボルを拡散処理した後にデジタルフィルタで帯域制限をかけてＩ・Ｑ信号とし、変復調部７２に送出する。
【００８２】
音声処理部７４は、受信時にＣＤＭＡ部７３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ（ＳＰ）５４を拡声駆動させる。
【００８３】
一方、音声処理部７４は送信時に、上記マイクロホン（ＭＩＣ）５７から入力されるアナログの音声信号をデジタル化した後に音声処理ＤＳＰでデータ量を圧縮し、それから畳込み符号器で誤り訂正符号化してからインタリーブし、その出力シンボルをＣＤＭＡ部７３へ送出する。
【００８４】
しかして、上記ＲＦ部７１、変復調部７２、ＣＤＭＡ部７３、及び音声処理部７４に対して制御部７５を接続し、この制御部７５にＧＰＳレシーバ７６、画像撮影部７７、画像処理部７８、上記メイン表示部５５、上記サブ表示部６０、メモリカード７９、バイブレータ部８０、ＬＥＤ駆動部８１、及びマグネットドライバ８２を接続している。
【００８５】
ここで制御部７５は、ＣＰＵと、後述するカメラモードでの通常撮影とマクロ撮影の切換を含む動作プログラムを固定的に記憶したＲＯＭ、及びワークメモリとして使用されるＲＡＭ等で構成され、この携帯電話機５０全体の動作を制御する。
【００８６】
ＧＰＳレシーバ７６は、ＧＰＳアンテナ８３が受信する複数のＧＰＳ衛星からの測位情報により現在位置の緯度、経度、及び高度と正確な現在時刻とを算出し、制御部７５へ出力する。
【００８７】
画像撮影部７７は、制御部７５の制御の下に、上記カメラ部５８を構成する、光学レンズユニット８４の撮影光軸後方に配置されたＣＣＤ８５での撮影動作を制御し、撮影により得られる画像データをデジタル化して出力する。
【００８８】
画像処理部７８は、画像撮影部７７より得られる画像データを例えばＪＰＥＧ方式に基づいてデータ圧縮する一方で、受信した画像データのデータ圧縮を解いて伸長し、元のビットマップ状の画像データを得る。
【００８９】
メモリカード７９は、この携帯電話機５０に着脱自在に備えられるもので、自機で撮影した画像データや受信により得た画像データ等を記憶しておく。
【００９０】
バイブレータ部８０は、着信時等に予め設定された振動パターン及び振動強度で振動する。
【００９１】
ＬＥＤ駆動部８１は、上記撮影ライト５９を構成する高輝度白色ＬＥＤの駆動回路でなるものであり、必要によりカメラ部５８の撮影対象となる被写体方向に向けて補助光を照射する。
【００９２】
なお、上記メイン表示部５５及びサブ表示部６０は、いずれもバックライト付きの反射／透過型カラー液晶パネルとその駆動回路で構成され、バックライトを点灯して透過型液晶としての表示が可能である一方、見やすさは多少落ちるものの、バックライトを消灯して外光を用いた反射型液晶としての表示も可能であるものとする。
【００９３】
マグネットドライバ８２は、光学レンズユニット８４に通電して電磁石として作用させ、その極性を切換えることで、上記ＣＣＤ８５と永久磁石とを形成した後述するＣＣＤパッケージと光学レンズユニット８４の相対的な位置、具体的には撮影光軸方向に沿った光学レンズユニット８４とＣＣＤ８５の距離を通常撮影時とマクロ撮影時とで切換えて駆動する。
【００９４】
続いて図７により光学レンズユニット８４とＣＣＤ８５を形成したＣＣＤパッケージの具体的な構成について例示する。  
図７（Ａ）は、光軸ＯＡに沿った上方を被写体側前方としたカメラ部５８の構成を示すもので、光学レンズユニット８４に対して、ＣＣＤ８５を形成したＣＣＤパッケージ９１を所定の移動範囲内で摺動自在に挟持している。すなわち光学レンズユニット８４は、光学レンズ群８４ａを固定的に配置形成すると共に、４本の脚部８４ｂ，８４ｂ，‥‥により矩形有底筒状のＣＣＤパッケージ９１をその側面から挟持する。
【００９５】
この光学レンズユニット８４のＣＣＤパッケージ９１の上端と当接される面内には、上記光学レンズ群８４ａによる撮影光像の通過領域を避けるように断面が矩形となるコイル８４ｃが埋設されている。
【００９６】
一方のＣＣＤパッケージ９１は、図７（Ｂ）の平面図に示すようにその側壁外部に上記脚部８４ｂ，８４ｂ，‥‥が挟持するための凹部９１ａ，９１ａ，‥‥が設けられる一方で、その側壁内部には底面のＣＣＤ８５に影響を与えないように適宜間隙をあけて矩形枠状の永久磁石９２が嵌合される。
【００９７】
この永久磁石９２は、その上底面と下底面が磁極となっており、上記図７（Ａ）ではコイル８４ｃが通電により図中の下側、永久磁石９２上面と対向する側が異極となる電磁石として作用することにより、ＣＣＤパッケージ９１全体が吸引され、コイル８４ｃと永久磁石９２が当接している通常撮影の状態を示す。この通常撮影時のコイル８４ｃの最下端位置からＣＣＤ８５の結像面までの光軸ＯＡ方向に沿った距離をｄ１とする。
【００９８】
反対に、マクロ撮影時には、光学レンズユニット８４のコイル８４ｃに通電する極性を反転させる。これにより、上記図７（Ｃ）に示すようにコイル８４ｃが図中の下側、永久磁石９２上面と対向する側が同極となる電磁石として作用し、永久磁石９２がこれに反発して、ＣＣＤパッケージ９１全体が上記脚部８４ｂ，８４ｂ，‥‥先端の内側に折曲形成されたストッパ部まで位置した状態で固定されることとなる。
【００９９】
このマクロ撮影時のコイル８４ｃの最下端位置からＣＣＤ８５の結像面までの光軸ＯＡ方向に沿った距離をｄ２とすると、上記通常撮影時の距離ｄ１と比較して「ｄ１＜ｄ２」となるもので、ＣＣＤパッケージ９１の厚さと光学レンズユニット８４の脚部８４ｂ，８４ｂ，‥‥の長さとを適切な値に設定することでこれら距離ｄ１，ｄ２を光学レンズ群８４ａの光学特性と合致したものとして設定することにより、簡易に通常撮影とマクロ撮影とを切り換えることが可能となる。
【０１００】
次に上記実施例の動作について説明する。  
なお、上記カメラ部５８における通常撮影とマクロ撮影の切換えは制御部７５の制御の下に実行されるものであるが、基本的な流れは上記図４に示した場合と同様であるので、重複を避けるべく図示は省略して同一（ステップ）符号を用いて説明する。
【０１０１】
すなわち、カメラキー５６ａが操作されてカメラモードが指定されると、制御部７５は自動的に上記図７（Ａ）で示した通常撮影となるものとし、マグネットドライバ８２により光学レンズユニット８４のコイル８４ｃに通電させる。このコイル８４ｃへの通電により永久磁石９２を形成したＣＣＤパッケージ９１全体がコイル８４ｃ側に吸引され、コイル８４ｃに当接された状態で固定される。
【０１０２】
この通常撮影の通電状態を維持したまま、マクロキー５６ｃの操作がなされるのを待機するもので（ステップＡ０２）、マクロキー５６ｃが操作されたと判断した時点で、マクロ撮影に移行するべくマグネットドライバ８２による通電の極性を切換えると、上記図７（Ｃ）で示したように、コイル８４ｃで発生される電磁力に永久磁石９２が反発してＣＣＤパッケージ９１を脚部８４ｂ，８４ｂ，‥‥先端のストッパ部まで摺動して平行移動させる（ステップＡ０３）。
【０１０３】
このマクロ撮影の通電状態を維持したまま、同様にマクロキー５６ｃの操作がなされるのを待機する（ステップＡ０４）。そして、マクロキー５６ｃが操作された時点でステップＡ０４によりこれを判断し、再び通常撮影の状態に切り換えるべく上記ステップＡ０１に至る。
【０１０４】
このように、通常撮影とマクロ撮影の２つの撮影位置に対応して電磁石への通電方向を切換えることで、簡単に位置切換を実行させることができ、構造と制御をきわめて簡素化できる。
【０１０５】
加えて、固定側である光学レンズユニット８４に電磁石を構成するためのコイル８４ｃを埋設するものとし、一方可動側であるＣＣＤパッケージ９１に永久磁石９２を設けるものとしたため、可動側へ通電のための配線が必要なく、より構造を簡素化できる。
【０１０６】
また、上記図７に示したカメラ部５８の具体構造では、ＣＣＤ８５の撮像面積に比して永久磁石９２と光学レンズユニット８４のコイル８４ｃが充分大きなものとして説明したが、そのような構成に代えて、複数の永久磁石とコイルの組を配設することで、同様に動作させることが可能となる。
【０１０７】
以下、図８によりそのような本実施の形態に係る他のカメラ部５８′の構成例を説明する。なお、基本的な構成自体は上記図７で示したものと同様であるので、同一部分には同一符号を付してその説明は省略する。
【０１０８】
しかして、図８（Ｂ）に示すようにＣＣＤパッケージ９１のＣＣＤ８５と上記４本の脚部８４ｂ，８４ｂ，‥‥を挟持させるために形成した凹部９１ａ，９１ａ，‥‥との間に位置するように計４本の角柱状の永久磁石９２′，９２′，‥‥を配する。
【０１０９】
そして、これら永久磁石９２′，９２′，‥‥と同一軸上で図８（Ａ）に示す通常撮影時にこれら永久磁石９２′，９２′，‥‥と当接される光学レンズユニット８４′内の位置に計４本の円筒状のコイル８４ｃ′，８４ｃ′，‥‥を埋設するものとする。
【０１１０】
これらコイル８４ｃ′，８４ｃ′，‥‥は、上記図７で示したコイル８４ｃ同一の巻回方向を有するものとし、同様に永久磁石９２′，９２′，‥‥も上記図７で示した永久磁石９２と同一の極性方向を有するものとする。
【０１１１】
したがって、図８（Ａ）に示す通常撮影時には、コイル８４ｃ′，８４ｃ′，‥‥への通電により、図中の下側、永久磁石９２′，９２′，‥‥上面と対向する側が異極となる電磁石として作用することにより、永久磁石９２′，９２′，‥‥を配したＣＣＤパッケージ９１′全体が吸引され、それぞれコイル８４ｃ′，８４ｃ′，‥‥と永久磁石９２′，９２′，‥‥とが当接した状態で固定される。
【０１１２】
反対に、マクロ撮影時には、光学レンズユニット８４′の各コイル８４ｃ′，８４ｃ′，‥‥に通電する極性を反転させる。これにより、上記図８（Ｃ）に示すようにコイル８４ｃ′，８４ｃ′，‥‥が図中の下側、永久磁石９２′，９２′，‥‥上面と対向する側が同極となる電磁石として作用し、永久磁石９２′，９２′，‥‥がこれに反発して、ＣＣＤパッケージ９１′全体が上記脚部８４ｂ，８４ｂ，‥‥先端の内側に折曲形成されたストッパ部まで位置した状態で固定されることとなる。
【０１１３】
なお、上記複数のコイル８４ｃ′，８４ｃ′，‥‥と永久磁石９２′，９２′，‥‥は、ＣＣＤパッケージ９１′のＣＣＤ８５の撮像面と平行な平面上で光軸ＯＡを中心として対称的に配置することが肝要であり、上記図７で示した構成に比してカメラ部５８のさらなる小型化に寄与しながらも、発生される磁力を安定化してＣＣＤパッケージ９１′を正確に平行に移動させることが可能となる。
【０１１４】
なお、上記第２の実施の形態では、電磁石を構成するコイル８４ｃ（８４ｃ′）への通電方向を切り換えることにより、通常撮影時とマクロ撮影時とで電磁石の発生する磁力の極性を反転させるものとしたが、より頻度の高いと思われる撮影時、例えば通常撮影時には、あえてコイル８４ｃ（８４ｃ′）への通電を停止させるものとすることも考えられる。
【０１１５】
すなわち、上記図７、図８で示した構成に加えて弾性部材、例えばコイルバネをＣＣＤ８５の撮影光像に影響せず、且つコイル８４ｃ及び永久磁石９２の動作に干渉しない位置（例えば図８（Ｂ）の永久磁石９２′，９２′，‥‥を含む矩形の４つのコーナー部）に配設し、コイル８４ｃに対して通電がされておらず、したがってコイル８４ｃが電磁石として作用していない状態でその（圧縮または伸張に伴なう）弾性力によってＣＣＤパッケージ９１が光学レンズユニット８４のコイル８４ｃを埋設した面に当接するように付勢させる。
【０１１６】
この場合に用いるコイルバネ等の弾性部材の弾性力は、ＣＣＤパッケージ９１をコイル８４ｃの埋設する位置に当接させる程度に充分大きく、且つコイル８４ｃに通電して電磁石としての磁力が発生した場合にはその磁力に反発できない程度に充分小さいものとする必要がある。
【０１１７】
このような構成とすれば、コイル８４ｃに通電するマクロ撮影時には、コイルで発生される磁力により永久磁石９２が反発する力が上記コイルバネの弾性力を大きく上回り、ＣＣＤ８５を形成したＣＣＤパッケージ９１が光学レンズ群８４ａからより離れた位置に固定配置されるものとなる。
【０１１８】
このように、電磁石と永久磁石に加えて、電磁石が作用していない状態で可動側を一方の位置に固定させる程度の適宜弾性力を有する弾性部材を配設するものとすれば、電磁石への通電の有無を切換えることで簡単に位置の切換えを実行させることができ、構造と制御をきわめて簡素化できるだけでなく、電磁石へ通電していない状態では無駄に電源を消費しないので、特に容量に制限のある電池電源を使用する場合などに、より有効にその電力を活用することができる。
【０１１９】
また、上記第１の実施の形態はデジタルカメラに、第２の実施の形態はカメラ機能付きの携帯電話機にそれぞれ本発明を適用した場合について例示したものであるが、本発明はこれに限るものではなく、比較的製造コストが安価で小型化が要求されるようなカメラ機能、具体的には単焦点で被写界深度を充分深く設定した固定焦点式のカメラ部に通常撮影とマクロ撮影とを切り換えて撮影させるようなカメラ機能を有する、ＰＤＡ（Ｐｅｒｓｏｎａｌ  Ｄｉｇｉｔａｌ  Ａｓｓｉｓｔａｎｔｓ：個人向け携帯情報端末）や視覚入力を利用したテレビゲーム装置のアプリケーションソフト、パーソナルコンピュータを用いたテレビ会議装置や語学研修装置にも同様に適用することが可能である。
【０１２０】
その他、本発明は上記実施の形態に限らず、その要旨を逸脱しない範囲内で種々変形して実施することが可能であるものとする。
【０１２１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１２２】
【図１】本発明の第１の実施の形態に係るデジタルカメラの外観構成を示す斜視図。
【図２】同実施の形態に係る電子回路の機能構成を示すブロック図。
【図３】同実施の形態に係る撮影レンズの具体的な構成と撮影範囲に対応した動作状態とを例示する図。
【図４】同実施の形態に係る撮影範囲の切換処理の内容を示すフローチャート。
【図５】本発明の第２の実施の形態に係るカメラ機能付き携帯電話機の外観構成を示す図。
【図６】同実施の形態に係る電子回路の機能構成を示すブロック図。
【図７】同実施の形態に係る撮影レンズの具体的な構成と撮影範囲に対応した動作状態とを例示する図。
【図８】同実施の形態に係る撮影レンズの他の具体的な構成と撮影範囲に対応した動作状態とを例示する図。
【符号の説明】
【０１２３】
１…デジタルカメラ、２…ボディ、３…撮影レンズ、４…セルフタイマランプ、５…光学ファインダ窓、６…ストロボ発光部、７…マイクロホン部、８…電源キー、９…シャッタキー、１０…撮影モードキー、１１…再生モードキー、１２…光学ファインダ、１３…スピーカ部、１４…マクロキー、１５…ストロボキー、１６…メニュー（ＭＥＮＵ）キー、１７…リングキー、１８…セット（ＳＥＴ）キー、１９…表示部、２１…マグネットドライバ、２２…ＣＣＤ、２３…タイミング発生器（ＴＧ）、２４…垂直ドライバ、２５…サンプルホールド（Ｓ／Ｈ）回路、２６…Ａ／Ｄ変換器、２７…カラープロセス回路、２８…ＤＭＡコントローラ、２９…ＤＲＡＭインタフェース（Ｉ／Ｆ）、３０…ＤＲＡＭ、３１…制御部、３２…ＶＲＡＭコントローラ、３３…ＶＲＡＭ、３４…デジタルビデオエンコーダ、３５…ＪＰＥＧ回路、３６…メモリカード、３７…キー入力部、３８…音声処理部、３９…ストロボ駆動部、４１…第１の固定枠、４１ａ，４１ｂ…電磁石、４２…第２の固定枠、４２ａ，４２ｂ…電磁石、４３，４４…ガイドシャフト、４５…可動枠、４５ａ〜４５ｄ…電磁石、４６…光学レンズ群、５０…携帯電話機、５１…ヒンジ部、５２…上部筐体、５３…下部筐体、５４…スピーカ（ＳＰ）、５５…メイン表示部、５６…各種キー、５６ａ…カメラキー、５６ｂ…セットキー、５６ｃ…マクロキー、５６ｄ…リングキー、５７…マイクロホン（ＭＩＣ）、５８，５８′…カメラ部、５９…撮影ライト、６０…サブ表示部、６１…アンテナ、７１…ＲＦ部、７２…変復調部、７３…ＣＤＭＡ部、７４…音声処理部、７５…制御部、７６…ＧＰＳレシーバ、７７…画像撮影部、７８…画像処理部、７９…メモリカード、８０…バイブレータ部、８１…ＬＥＤ駆動部、８２…マグネットドライバ、８３…ＧＰＳアンテナ、８４，８４′…光学レンズユニット、８４ａ…光学レンズ群、８４ｂ…脚部、８４ｃ，８４ｃ′…コイル、８５…ＣＣＤ、９１…ＣＣＤパッケージ、９１ａ…凹部、９２，９２′…永久磁石。
【図１】
2005316314.tif 000003
【図２】
2005316314.tif 000004
【図３】
2005316314.tif 000005
【図４】
2005316314.tif 000006
【図５】
2005316314.tif 000007
【図６】
2005316314.tif 000008
【図７】
2005316314.tif 000009
【図８】
2005316314.tif 000010